(57)【要約】      （修正有）【課題】デジタル放送において、各受信端末の現在の受信状況に即したサービスエリアマップ及びＥＰＧを配信することが可能なシステムを提供する。【解決手段】ディジタル放送局１０２と、通信局１０９と、複数のディジタル放送受信端末１０３，１０４，１０５，１０６とから構成されるサービス情報配信システムであって、前記ディジタル放送局１０２はディジタル放送を送信し、前記受信端末１０３，１０４，１０５，１０６は該受信端末の位置及び前記ディジタル放送の受信感度に関する情報１０７を前記通信局１０９に送信し、前記通信局１０９は前記受信端末１０３，１０４，１０５，１０６から取得した前記情報１０７に基づいて、前記受信端末１０３、１０４、１０５、１０６に対応したサービス情報１０８を作成し、該サービス情報を前記受信端末１０３、１０４、１０５、１０６に送信する。【選択図】  図１
2004166078.tif 000002
【特許請求の範囲】
【請求項１】
デジタル放送に関連するサービス情報配信システムであって、視聴者の受信端末からデジタル放送受信環境情報を取得する手段と、前記デジタル放送受信環境情報に基づいて前記受信端末にサービス情報を配信する手段とを含むサービス情報配信システム。
【請求項２】
デジタル放送に関連するサービス情報配信システムであって、
サービス情報を有する通信局と、
前記通信局と通信可能な受信端末と、を含んでおり、
前記通信局は前記視聴者の受信端末から受信環境情報を取得するとともに、前記取得した受信環境情報に基づいて前記受信端末にサービス情報を配信するサービス情報配信システム。
【請求項３】
デジタル放送局と、通信局と、複数のデジタル放送受信端末とから構成されるサービス情報配信システムであって、
前記デジタル放送局はデジタル放送を送信し、
前記受信端末は、それぞれ、該受信端末の位置及び前記デジタル放送の受信感度に関連する情報を前記通信局に送信し、
前記通信局は、前記受信端末のそれぞれから取得した前記情報に基づいて、前記受信端末のそれぞれに対応したサービス情報を作成し、該サービス情報を前記受信端末のそれぞれに送信することを特徴とするサービス情報配信システム。
【請求項４】
前記受信環境情報は、前記受信端末についての位置情報、受信感度情報及び端末機種情報のうち少なくとも１つを含んでいることを特徴とする請求項１又は２のいずれか一項に記載のサービス情報配信システム。
【請求項５】
前記受信端末はＧＰＳ機能を有しており、前記位置情報は、前記ＧＰＳ機能により提供されることを特徴とする請求項４に記載のサービス情報配信システム。
【請求項６】
前記位置情報は、受信端末の経度、緯度、高度及び移動速度のうち少なくとも１つに関する情報を含んでいることを特徴とする請求項４に記載のサービス情報配信システム。
【請求項７】
前記受信感度情報は、前記受信端末がデジタル放送を受信するときの誤り率、受信電力及びＣ／Ｎ比のうち少なくとも１つを含んでいることを特徴とする請求項４に記載のサービス情報配信システム。
【請求項８】
前記端末機種情報は、受信端末の機種に関する情報を含んでいることを特徴とする請求項４に記載のサービス情報配信システム。
【請求項９】
前記サービス情報は、前記受信端末の現在地近辺におけるデジタル放送の受信状況を示すサービスエリアマップを含んでいることを特徴とする請求項１又は２のいずれか一項に記載のサービス情報配信システム。
【請求項１０】
前記サービス情報は、前記受信端末の現在受信状況に応じたＥＰＧを含んでいることを特徴とする請求項１又は２のいずれか一項に記載のサービス情報配信システム。
【請求項１１】
前記受信端末は、据え置き型デジタル放送受信機、携帯電話端末、車載端末、携帯情報通信端末のうち少なくとも１つを含むことを特徴とする請求項１又は２のいずれか一項に記載のサービス情報配信システム。
【請求項１２】
前記通信局は、前記受信端末から取得した前記受信環境情報を記憶するデータベースを有することを特徴とする請求項１又は２のいずれか一項に記載のサービス情報配信システム。
【請求項１３】
前記サービス情報は、デジタル放送のチャンネルごとに配信されることを特徴とする請求項１又は２のいずれか一項に記載のサービス情報配信システム。
【請求項１４】
前記デジタル放送は、地上デジタル放送であることを特徴とする請求項項１から１３のいずれか一項に記載のサービス情報配信システム。
【請求項１５】
通信局と通信可能なデジタル放送受信端末であって、
前記通信局に受信環境情報を送信する手段と、
前記通信局にサービス情報を要求する手段と、
前記通信局からサービス情報を受信する手段と、
前記受信したサービス情報を表示する手段と、
を含んでいることを特徴とするデジタル放送受信端末。
【発明の詳細な説明】
【０００１】
【発明の属する技術分野】
本発明は、デジタル放送に関連するサービス情報配信システムに関し、特に、デジタル放送受信装置を備えた据え置き型デジタルテレビ受像機、車載端末、携帯電話端末及びＰＤＡ（Ｐｅｒｓｏｎａｌ  Ｄｉｇｉｔａｌ  Ａｓｓｉｓｔａｎｔｓ）等のそれぞれに、受信環境に応じたサービス情報を配信するシステムに関するものである。
【０００２】
尚、本発明のシステムにおいて配信される「サービス情報」とは、各受信端末における放送受信の可否を地理的に示すサービスエリアマップと、受信チャンネルごとに示すＥＰＧ（Ｅｌｅｃｔｒｏｎｉｃ  Ｐｒｏｇｒａｍ  Ｇｕｉｄｅ、電子番組表）とを含んでいるものとする。
【０００３】
【従来の技術】
現在、全国で視聴されているアナログ地上放送に代わる新しい地上デジタル放送の準備が進んでいる。この地上デジタル放送は２００３年に関東、近畿、東海の３大都市圏で開始され、２００６年には全国へ拡大される計画である。これにともない、現行のアナログ放送も２０１１年には廃止される予定になっている。
【０００４】
この地上デジタル放送の技術規格ＩＳＤＢ  （Ｉｎｔｅｇｒａｔｅｄ  Ｓｅｒｖｉｃｅｓ  Ｄｉｇｉｔａｌ  Ｂｒｏａｄｃａｓｔｉｎｇ）  −Ｔでは、変調方式に多数の搬送波（キャリア）を使うＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）が採用されており、ビルによる反射など複数の伝播経路（マルチパス）によるゴースト妨害も抑制が可能となる。また、ＩＳＤＢ−Ｔではキャリア間隔を規定する伝送モードやキャリア毎の変調方式、有効シンボル長毎に設ける時間軸方向のガードインターバルがそれぞれ複数規定されており、極めて多数の信号形式が規格の上では許容されている。実際にはこれらの中から、固定受信や移動受信などのサービスに応じて最適な形式が選択されることになる。
【０００５】
また、ＩＳＤＢ−Ｔでは１つのチャンネル（帯域幅約５．６ＭＨｚ）を１３セグメント（１セグメント＝約４３０ｋＨｚ）に分割し、これを単位に変調方式を変えることになる。これによって、１つのチャンネルで音声放送とハイビジョン放送、標準固定放送と移動体放送といったように、放送局は任意に信号構成を決定することができる。
【０００６】
さらに、ＩＳＤＢ−Ｔは時間軸方向のインターリーブを取り入れており、利用する電波も移動体への伝送に適していることから、車載テレビなどの移動受信機やＰＤＡや携帯電話などの携帯端末でも安定した受信が可能となることが大きな特徴の一つとして挙げられる。今後、このような移動受信を想定したサービスも大いに期待されている。
【０００７】
この点、車載テレビ等の移動受信装置においては、ある程度表示容量の大きなディスプレイを搭載可能であり、とりたてて小型軽量化の必要もなく、十分な電力供給源も備わっていることから、広帯域の受信に対応可能である。
【０００８】
図８は、このような地上デジタル放送サービスの一形態を示す構成図である。図８において、データセグメント８０１には、１セグメントの音声受信８０３、６セグメントの移動体受信８０４、及び６セグメントのＳＤＴＶ（Ｓｔａｎｄａｒｄ  Ｄｅｆｉｎｉｔｉｏｎ  ＴＶ、標準テレビ）８０５からなる合計１３セグメントが割り当てられている。上記のような車載テレビでは、このような放送サービスより十分な情報量を得ることができる。なお、データセグメント８０１は周波数軸の伝送スペクトル（ＯＦＤＭセグメント）８０２に変換されるが、このとき、音声受信８０３に対応する１セグメント受信の部分８０６（Ａ階層）は、１３セグメントの中央のセグメントに配置されるようになっている。
【０００９】
図９は、地上デジタル放送サービスの他の形態を示す構成図である。図９において、データセグメント９０１には、１セグメントの携帯受信９０３及び１２セグメントのハイビジョンＴＶ受信９０４からなる１３セグメントが割り当てている。図８に示す形態と同様に、データセグメント９０１は周波数軸の伝送スペクトル（ＯＦＤＭセグメント）９０２に変換されるが、このとき、携帯受信９０３に対応する１セグメント受信の部分９０５（Ａ階層）は、１３セグメントの中央のセグメントに配置されるようになっている。
【００１０】
なお、図９に示す形態では、データセグメント９０１において、携帯受信９０３以外の１２セグメントすべてをハイビジョンＴＶ受信９０４に割り当てているが、この１２セグメントをＳＤＴＶ受信２チャンネル分に分割して割り当てるなど、様々な形態の放送サービスが考えられる。
【００１１】
上記のように、地上デジタル放送は、移動受信や携帯受信に適した方式を採用しており、一般的に、電波の伝送経路における様々な電波障害の影響を受け、ノイズ、画面の欠落、同期異常が発生し易いアナログテレビ放送に比べると、移動等による環境の変化に影響されずに安定した受信が可能となる。
【００１２】
しかしながら、地上デジタル放送であっても、受信環境によっては、電波の受信電力が微弱であったり、ノイズの重畳が著しかったりする場合があり、特に、受信信号の強度が時間とともに変化するようなフェージングの影響が大きい環境下では、良好な映像を再生することができないこともある。
【００１３】
このような受信環境の劣化に対処するために、受信装置内で受信状態を検出し、これに応じて放送内容を自動的に切り替える方式などが採用されている。（例えば、特許文献１〜３に記載のデジタル放送受信装置。）
【００１４】
【特許文献１】
特開平９−１０７３０３号公報
【特許文献２】
特開２００２−１７６５９４号公報
【特許文献３】
特開２００２−２１８３４１号公報
【００１５】
【発明が解決しようとする課題】
ここで問題となるのが、特に、車載端末、携帯端末、ＰＤＡ等による移動体受信の場合には、受信環境の変化などにより、各放送局の放送サービスエリアを画一的に規定することができず、正確なサービスエリアマップやＥＰＧを視聴者に提供できなくなってしまうということである。すなわち、ある限定された地域において放送サービスが行われているとしても、各視聴者の周囲の環境、移動速度、気象状況により、さらには受信端末の種類によっても放送受信の可否が異なってしまうため、サービスエリアマップやＥＰＧを一意に確定することができなくなってしまう。
【００１６】
通常、視聴者のミクロな環境に即した詳細な放送サービスエリアマップを作成するためには、通信局（又は通信回線を介して接続するサービス業者、放送局など）などを設置し、実際に様々な場所に行って実地試験を行ったり、大がかりなシミュレーションを行ったりする必要がある。さらには、視聴者を取り巻く環境は時々刻々変化するし、天候等マクロな環境の変化も存在するため、厳密にはサービスエリアマップは一つに規定できないといった問題がある。
【００１７】
また、デジタル放送受信装置においては、アナログ放送のような「ほどほどに映る」、「見にくいけどだいだい映る」というような受信状況の中間状態が存在せず、実質的には受信可能か不可能かの２値のいずれかしか存在しない（受信の可否に明確な閾値が存在する）という問題もある。
【００１８】
アナログ放送であれば、視聴者が上記のような受信状況の中間状態を確認できるので、映像が乱れた場合には、画面を見ながらアンテナの方向を調整したり受信装置の位置を変えたりして、受信に好適な環境を検索することができる。しかしながら、デジタル放送においては、視聴者が放送を受信できない場合に、現在の受信環境がどの程度放送受信に適した環境であるのか、どの方向に場所を移せば受信可能となるのか、という判断を行うことができない。
【００１９】
特に、デジタル放送を移動端末で受信する場合には、視聴者は放送を受信可能な場所を探して移動することになるが、上記のとおり、サービスエリアも画一的に規定されていないため、どの方向に移動すればいいのかという判断を行うための指針となる情報を全く得ることができないという問題がある。
【００２０】
また、上記の問題は、固定端末における放送受信、特にアンテナ装備型据え置きテレビについても同様である。屋内に配置しても受信が出来なかった場合、その屋内にそもそも受信可能な場所が存在するのかどうか、存在するのであればその場所はどこなのかを知ることができないという問題がある。
【００２１】
このような問題に鑑み、本発明は、各受信端末の現在の受信状況に即したサービスエリアマップを配信することが可能なシステムを提供することを目的とするものである。
また、本発明は、各受信端末の現在の受信状況に即したＥＰＧを配信することが可能なシステムを提供しようとするものである。
【００２２】
【課題を解決するための手段】
本発明は、デジタル放送に関連するサービス情報配信システムであって、視聴者の受信端末からデジタル放送受信環境情報を取得する手段と、前記デジタル放送受信環境情報に基づいて前記受信端末にサービス情報を配信する手段とを含むサービス情報配信システムを提供するものである。
【００２３】
また、本発明は、デジタル放送に関連するサービス情報配信システムであって、サービス情報を有する通信局と、前記通信局と通信可能な受信端末と、を含んでおり、前記通信局は前記視聴者の受信端末から受信環境情報を取得するとともに、前記取得した受信環境情報に基づいて前記受信端末にサービス情報を配信するサービス情報配信システムを提供する。
【００２４】
本発明はさらに、デジタル放送局と、通信局と、複数のデジタル放送受信端末とから構成されるサービス情報配信システムであって、前記デジタル放送局はデジタル放送を送信し、前記受信端末は、それぞれ、該受信端末の位置及び前記デジタル放送の受信感度に関連する情報を前記通信局に送信し、前記通信局は、前記受信端末のそれぞれから取得した前記情報に基づいて、前記受信端末のそれぞれに対応したサービス情報を作成し、該サービス情報を前記受信端末のそれぞれに送信することを特徴とするサービス情報配信システム。
【００２５】
本発明のサービス情報配信システムによれば、通信局はデジタル放送を受信している視聴者の受信端末から受信環境情報として多くのサンプルデータを収集でき、そのデータを基に、各端末の実際の受信状況に即した詳細なサービス情報を容易に作成し配信することが可能となる。
【００２６】
本発明の配信システムにおいて、前記受信環境情報は、前記受信端末についての位置情報、受信感度情報及び端末機種情報のうち少なくとも１つを含んでいることを特徴とする。
また、前記受信端末はＧＰＳ機能を有しており、前記位置情報は、前記ＧＰＳ機能により提供されることを特徴とする。これにより、視聴者が位置情報を自ら入力することなく、即時に受信環境情報を通信局に送信することが可能となる。
【００２７】
前記位置情報は、受信端末の経度、緯度、高度及び移動速度のうち少なくとも１つに関する情報を含んでいることを特徴とする。これにより、受信端末の位置に関して、経度及び緯度から決定される二次元的位置のみでなく、高さ方向の情報も含めた三次元的位置や移動に関する情報も得ることができ、より各受信端末に適したサービス情報を配信することが可能となる。
【００２８】
例えば、二次元的には同じ場所にいるとしても、ビルの屋上にいる人と地下にいる人、また静止している人と新幹線で移動中の人では、放送の受信環境は異なったものになる。このように、各受信端末の置かれているミクロな環境に対応したサービス情報の提供が可能となる。
前記受信感度情報は、前記受信端末がデジタル放送を受信するときの誤り率、受信電力及びＣ／Ｎ比のうち少なくとも１つを含んでいることを特徴とする。
【００２９】
デジタル放送において受信感度を測定するためのパラメータとしては、受信電力とＣ／Ｎ比（Ｃａｒｒｉｅｒ  ｔｏ  Ｎｏｉｓｅ  Ｒａｔｅ）が一般に知られている。これらの値は変調方式や符号化率によって受信に要する下限値が異なっている。
【００３０】
また、デジタル放送において映像信号を誤りなし（擬似エラーフリー）で伝送するためには、ＲＳ（リードソロモン）符号復号出力のＢＥＲ（Ｂｉｔ  Ｅｒｒｏｒ  Ｒａｔｅ、誤り率）の値が１ｘ１０−１１以下である必要がある。このためには、ビタビ復号出力のＢＥＲの値が２ｘ１０−４であることが必要となる。
【００３１】
例えば、ガウス雑音環境下において、ＱＰＳＫ符号化率１／２の場合の所要Ｃ／Ｎ比は４．９ｄＢであり、１６ＱＡＭ符号化率１／２の場合の所要Ｃ／Ｎ比は１１．５ｄＢである。また、受信電力の所要電界強度に関しては、固定受信の場合で約６０ｄＢμＶ／ｍが要求される。
【００３２】
前記端末機種情報は、受信端末の機種に関する情報を含んでいることを特徴とする。これにより、前記通信局は、受信端末の受信性能に関する情報を得ることができ、各受信端末の機種に応じて、より適したサービス情報を配信することが可能となる。
【００３３】
例えば、固定用受信端末の屋外アンテナや据付型Ｖ字モノポールアンテナ、移動用受信端末の指向性アンテナやダイバーシティアンテナ、携帯用受信端末のロッドアンテナ等、受信端末に搭載されるアンテナの種類によっても受信性能は異なる。また、受信性能はチューナや復調部の性能にも依存する。このように受信性能の異なる受信端末のそれぞれに対応したサービス情報を提供することが可能となる。
前記サービス情報は、前記受信端末の現在地近辺におけるデジタル放送の受信状況を示すサービスエリアマップを含んでいることを特徴とする。
【００３４】
これにより、視聴者は、サービスエリアマップから放送受信可能なエリアを知ることができ、サービスエリアに対する自分の相対位置を確認することが可能となる。例えば、現在の受信位置がサービスエリア外で、すぐ近くにサービスエリアが存在する場合、放送を受信するために、現在の場所から受信可能な場所へ移ろうという動機を与えることになる。
前記サービス情報は、前記受信端末の現在受信状況に応じたＥＰＧを含んでいることを特徴とする。
【００３５】
通信局が視聴者の受信位置に対応したＥＰＧを提供することによって、視聴者は現在受信可能なチャンネルを確認することができ、所望の放送番組の選局が可能となる。また、放送局にとっては放送サービスの存在を知らせることができるので、より多くの視聴者の獲得に効果があり、通信局にとっては通信回線の使用料を視聴者から徴収できるといったメリットがある。
【００３６】
尚、本発明のサービス情報配信システムにおいて、前記受信端末は、据え置き型デジタル放送受信機、携帯電話端末、車載端末、携帯情報通信端末などであるものとする。
【００３７】
特に、車載用端末、携帯電話端末及び携帯情報通信端末は様々な環境下で使用されるため、放送受信の可否が大きく変動することが考えられる。本発明のサービス情報配信システムによれば、これらの受信端末においても、現在の受信環境に即したサービス情報の配信を行うことが可能である。
【００３８】
本発明において、前記通信局は、前記受信端末から取得した前記受信環境情報を記憶するデータベースを有することを特徴とする。
また、本発明において、前記サービス情報は、デジタル放送のチャンネルごとに配信されることを特徴とする。これにより、希望する番組が受信できない場合、視聴者は複数のチャンネルに関するサービス情報を取得することによって、他のチャンネルを受信することが可能となる。
本発明において、前記デジタル放送は、地上デジタル放送であることを特徴とする。
【００３９】
さらに、本発明は、通信局と通信可能なデジタル放送受信端末であって、前記通信局に受信環境情報を送信する手段と、前記通信局にサービス情報を要求する手段と、前記通信局からサービス情報を受信する手段と、前記受信したサービス情報を表示する手段と、を含んでいることを特徴とするデジタル放送受信端末を提供するものである。
【００４０】
【発明の実施の形態】
以下、添付図面を参照しながら、本発明の実施の形態を詳細に説明する。尚、本発明のサービス情報配信システムの実施形態として、地上デジタル放送におけるサービス情報配信システムを例示するが、本発明のシステムはこれに限定されるものではなく、衛星デジタル放送等においても実施可能である。
【００４１】
本発明のサービス情報配信システムの第１実施形態は、地上デジタル放送受信装置を内蔵する受信端末に、サービスエリアマップを配信するシステムである。図１は、本実施形態のサービスエリアマップ配信システムの全体構成を示す概略図である。
【００４２】
図１において、地上デジタル放送サービスを放送する電波塔１０２が地域Ａ  １０１をカバーしているものとする。地域Ａ  １０１内の視聴者は、地上デジタル放送を受信するための端末として、車載用端末１０３、携帯電話端末１０４、据え置き型デジタルテレビ受像機１０５、ＰＤＡ１０６などを用いることができる。また、地上デジタル放送受信機能を備えたモバイルＰＣやデスクトップＰＣなど（図示せず）を用いることもできる。
【００４３】
本実施形態のサービスエリアマップ配信システムは、典型的には、上記の各端末と通信可能な通信局１０９により提供されるものである。尚、通信局１０９の機能は、各受信端末の種類及び形態などにより、各種の電気通信事業者、放送局などにより提供されるのであってもよい。
【００４４】
図１に示すように、通信局１０９は、制御部１１０とデータベース１１３とを含んでおり、制御部１１０は、各端末との通信及びデータベース１１３の制御を行うことができる。データベース１１３には、本実施形態によるサービスエリアマップの配信に必要なデータ等が含まれているものとする。尚、通信局１０９のこのような機能は、データベース管理システム等を備えたサーバコンピュータなどにより実現することが可能である。
【００４５】
以下に、本実施形態のサービスエリアマップ配信を受ける受信端末の構成を、携帯電話端末１０４を例にとって説明する。図２は、本実施形態のシステムにおいて配信されるサービスエリアマップを受信可能な携帯電話端末に内蔵される地上デジタル放送受信装置の構成を示す機能ブロック図である。
【００４６】
このような構成を有する携帯電話端末において、アンテナ２０１により受信された地上デジタル放送信号は、チューナ２０２、ＯＦＤＭ復調器２０３、デコーダ部２０４を経由して音声信号と映像信号とに復元され、音声信号は音声信号処理部２１５を経由してスピーカ２１７で再生され、映像信号は映像信号処理部２１８へ入力され、ディスプレイ２１９で表示される。
また、アンテナ２１０から受信された携帯電話通信信号は、ＲＦ処理部２１１、ベースバンド処理部２１３と電話音声処理部２１４からなるｗ−ＣＤＭＡ処理部２１２を通じてマイク２１６及びスピーカ２１７で再生される。
【００４７】
この携帯電話端末において、携帯電話通信信号を通じてインターネット接続をする場合には、携帯電話通信信号に含まれる通信情報は、ベースバンド処理部２１３からデコーダ部２０４及び映像信号処理部２１８を経由し、ディスプレイ２１９において表示される。本実施形態のサービスエリアマップの配信を受信する際にも、同様に、アンテナ２１０を介して図１の通信局１０９と通信を行うことによりデータを受信するものとする。
制御部２０９は、この携帯電話端末の各構成部分を制御している。
【００４８】
上記以外の構成部分については、従来の地上デジタル放送受信装置と同様のものであるとする。尚、図示しないが、本実施形態の受信端末はＧＰＳ（Ｇｌｏｂａｌ  Ｐｏｓｉｔｉｏｎｉｎｇ  Ｓｙｓｔｅｍ）機能を有しているのが好ましい。
【００４９】
図３は、上記携帯電話端末のＯＦＤＭ復調器２０３の内部構成を示す機能ブロック図である。図３において、直交復調部３０１には、図２に示す携帯電話端末のチューナ２０２でＩＦ信号に変換された放送信号がデジタル化されて入力されるようになっている。
【００５０】
直交復調部３０１に入力された放送信号は、位相補正部３０２、ＦＦＴ部３０３、フレーム同期部３０４を経て、検波部３０５に入力される。検波部３０５では、放送信号のＣ／Ｎ（Ｃａｒｒｉｅｒ  ｔｏ  Ｎｏｉｓｅ）比に関するパラメータが検出され、Ｃ／Ｎ比出力部３１３に出力される。
【００５１】
検波部３０５から出力されるＴＳ（Ｔｒａｎｓｐｏｒｔ  Ｓｔｒｅａｍ）信号は、周波数・時間デインターリーブ部３０６、ビットデインターリーブ部３０７、ビタビ復号部３０８、バイトデインターリーブ部３０９、エネルギー拡散部３１０、ＴＳ再生部３１１、ＲＳ（Ｒｅｅｄ−Ｓｏｌｏｍｏｎ）復号部３１２を経て、ＢＥＲ（Ｂｉｔ  Ｅｒｒｏｒ  Ｒａｔｅ、誤り率）に関するパラメータはＢＥＲ出力部３１４を通じて図２に示す携帯電話端末の制御部２０９に、ＴＳ信号はＴＳ出力部３１５を通じてデコーダ部２０４にそれぞれ出力される。
【００５２】
ここで、ＢＥＲはＲＳ復号をＯＦＦにした時の値を出力し、この値が基準値を満たす場合に、ＲＳ復号をＯＮにしてＴＳを出力するように設定することも可能である。また、後述するように受信映像と受信感度を同時に表示する場合には、Ｃ／Ｎ比とＲＳ（Ｒｅｅｄ−Ｓｏｌｏｍｏｎ）復号後のＢＥＲを検出し、ＴＳも常にデコーダ部２０４に送出しておくことも可能である。
【００５３】
尚、図３に示すＯＦＤＭ復調器２０３内部の各構成部分は、従来のＯＦＤＭ復調器に含まれるものと同様に構成されているものであるから、各構成部分についての説明は省略する。
上記のように構成された本実施形態のサービスエリアマップ配信システムにおいて、視聴者の受信端末にサービスエリアマップを配信する仕組みについて、以下に説明する。
【００５４】
図１において、電波塔１０２がカバーする地域Ａ  １０１にいる視聴者は、複数のチャンネルの放送を受信することができる。視聴者は、受信端末においてチャンネルを一通り切替えることにより、受信可能な番組を確認することができる。あるいは、見たい番組がわかっていればそのチャンネルのみ選局して受信することができる。
【００５５】
ここで、視聴したいチャンネルの放送受信感度が悪い場合に、視聴者は受信感度の良い場所に移動しようと考える。このとき、視聴者は、通信局１０９に当該チャンネルのサービスエリアマップの送信を要求することができる。あるいは、単に各チャンネルのサービスエリアを知りたい場合においても、同様にサービスエリアマップの送信を要求することができる。
サービスエリアマップの送信を要求するには、視聴者は、受信端末に内蔵されている通信機能を利用して、通信回線を通じてサービスエリアマップリクエスト１０７を通信局１０９に送信する。
【００５６】
サービスエリアマップリクエスト１０７は、視聴者（受信端末）の位置情報、受信感度情報、端末情報などを含んでいるものとする。位置情報は、例えば、受信端末の緯度、経度、高度、速度などである。受信感度情報は、例えば、現在選択しているチャンネルにおけるＢＥＲ、Ｃ／Ｎ比、受信電力などである。端末情報は、受信端末の機種などの情報である。
【００５７】
ここで、視聴者の位置情報は、視聴者自身が受信端末の表示画面のＧＵＩ  （Ｇｒａｐｈｉｃａｌ  Ｕｓｅｒ  Ｉｎｔｅｒｆａｃｅ）から直接入力するようにしてもよい。より好ましくは、受信端末に搭載されているＧＰＳ機能を用いて、視聴者の位置情報を自動的に取得するようにしてもよい。
【００５８】
尚、通信局１０９が上記受信感度情報を取得する形態には、様々なものが考えられる。例えば、視聴者がサービスエリアマップリクエストを要求すると、受信端末において受信可能な全てのチャンネルの受信感度情報をスキャンし、各チャンネルの受信感度情報として通信局１０９に送信するように義務付けることができる。あるいは、視聴者がサービスエリアリクエストを要求したチャンネルの受信感度情報のみを送信するように義務付けることもできる。
【００５９】
さらには、通信局１０９は、サービスエリアリクエストを要求した視聴者の受信端末から受信感度情報を取得するのではなく、予め様々な場所に配置した受信感度モニタから受信感度情報を取得したり、又は所定の視聴者の受信端末から常に受信感度情報を取得したりして、これらの受信感度情報を元に、サービスエリアマップの配信を行うようにしてもよい。この場合には、サービスエリアマップの配信サービスを有料とし、視聴者には予め通信局にユーザ登録をすることを義務付けるようにしてもよい。
【００６０】
通信回線を通じて視聴者の受信端末からのサービスエリアマップリクエスト１０７を受信した通信局１０９の制御部１１０は、データベース１１３に対してデータの更新・検索１１１を行う。ここで、データの更新とは、受信端末から送信される位置情報、受信感度情報、端末情報などのデータをデータベース１１３に記録することである。また、データの検索とは、サービスエリアマップを要求した受信端末の現在の位置情報に基づいて、当該受信端末の現在地付近（例えば、地域Ａ  １０１内）における受信感度等に関する情報をデータベース１１３内から検索することである。
【００６１】
データベース１１３は、他の多数の受信端末から上記同様に発信されたサービスエリアマップリクエスト１０７に含まれる、各受信端末の位置情報、受信感度情報及び端末情報などから構成されるデータベースである。
制御部１１０は、データベース１１３内から検索した検索結果１１２に基づいて、上記受信端末のサービスエリアマップを作成し、これを上記受信端末に返信１０８する。
【００６２】
続いて、このようにして通信局から配信されるサービスエリアマップの表示形態について説明する。図４は、本実施形態のシステムにおいて配信するサービスエリアマップの、携帯電話端末上における表示例を示す図である。
【００６３】
図４（ａ）及び４（ｂ）に示すサービスエリアマップ表示形態のタイプ１では、受信端末の現在地４０１をほぼ中央に配置した周辺地図に、サービスエリア４０３とサービス外エリア４０２とを差別化して表示している。また、表示画面下部には、チャンネルアイコン４０４を表示し、視聴者が好みのチャンネルを選択すると、そのチャンネルのサービスエリアマップを表示することが可能となっている。
【００６４】
図４（ｃ）から４（ｆ）に示すサービスエリアマップ表示形態のタイプ２では、受信端末の現在地４０１をほぼ中央に配置した周辺地図に、周囲の受信端末それぞれの受信状況４０５を表示している。また、表示画面下部には、上記同様のチャンネルアイコン４０４を表示している。
【００６５】
例えば、図４（ａ）のサービスエリアマップにおいて、視聴者は現在位置において放送を受信できないが、現在位置から少し離れると受信可能となることが分かる。尚、視聴者がビル等の建物の多い街中にいるときにこのような受信状況になることが知られている。
【００６６】
次に、視聴者が図４（ａ）の画面においてチャンネルアイコン４０４によりチャンネル４を選択すると、図４（ｂ）に示すサービスエリアマップが表示される。このサービスエリアマップによれば、視聴者は現在位置においては放送を受信できないが、地図中で右下の方向に移動することにより受信可能となることが分かる。
【００６７】
以上のように、タイプ１のサービスエリアマップによれば、視聴者が現在サービスエリア外にいる場合、放送を受信するためには、どの方向にどれだけ移動すればよいかを簡易に知ることができる。
【００６８】
図４（ｃ）から図４（ｆ）に示すサービスエリアマップにおいては、視聴者の近辺にある各受信端末について、受信感度を、◎：受信良好、○：受信可能、×：受信不可能の３段階で表示している。さらに、これらの受信感度の値を等高線表示とすることもできる。
【００６９】
これらのサービスエリアマップによれば、視聴者は視聴したいチャンネルを受信できる場所にいるのかどうか、また受信できないのであればどこへ移動したらよいかを知ることができる。
【００７０】
尚、本実施形態のシステムにおいて配信されるサービスエリアマップは、視聴者それぞれの特殊な環境に対応したものである。例えば、図４（ｅ）及び４（ｆ）に示すサービスエリアマップは、車や電車で移動中の視聴者を想定したものであり、ここには、同様に高速で移動している他の各受信端末のみを表示している。一方、図４（ｃ）及び４（ｄ）に示すサービスエリアマップは、殆ど静止している状態に近い受信端末のみを表示したものである。
【００７１】
ところで、高速移動受信においては、厳密には進行方向や速度も問題となり、また、サービスエリアをまたがって移動する場合の問題もある。例えば、図５に示すように、高速道路を走行する車に乗った視聴者５０３が電波塔Ａ  ５０１に向かう方向１  ５０４を進路とする場合と、電波塔Ｂ  ５０２に向かう方向２  ５０５を進路とする場合とでは、同じ受信位置でサービスエリアマップを取得したとしても、その内容は異なったものになる可能性が高い。方向１では電波塔Ｂ  ５０２からの放送は問題なく受信できるが、電波塔Ａ  ５０１からの放送はほとんど受信できないという場合もある。また、方向２ではその逆になることもある。よって、より正確なサービスエリアマップを配信するシステムとしては、受信端末の位置だけではなく、高度や移動速度、移動方向に関する情報も、受信端末の環境変数としてサービスエリアマップリクエストに含ませて、これをサービスエリアマップ作成時に参照するようにするのが好ましい。
【００７２】
以上のように、同じ地域内にいる視聴者でもその受信環境は千差万別で、サービスエリアマップも複雑なものとなる。また、その日の天候等のマクロな受信環境や、視聴者の受信位置の高度や移動速度、さらには受信端末の種類といったミクロな環境も受信感度に影響を与えるため、同じ場所でも受信可能なチャンネルがケースによって異なる場合もある。
このような問題に対し、本実施形態のサービスエリアマップ配信システムを適用することにより、各視聴者に適応したサービスエリアマップを配信することが可能となる。
【００７３】
本発明のサービス情報配信システムの第２実施形態について説明する。本実施形態は、地上デジタル放送受信装置を内蔵する受信端末に、ＥＰＧ（ここでいうＥＰＧは単純には各チャンネルの受信の可否に関する情報）を配信するシステムである。
【００７４】
図６は、本実施形態のＥＰＧ配信システムの全体構成を示す概略図である。
図６において、地上デジタル放送サービスを放送する電波塔Ａ  ６０１及び電波塔Ｂ６０２がカバーしている地域内の視聴者６０５〜６０８（それぞれＡ〜Ｄ）について考える。また、この受信地域内には、ビル街６０３、公園６０４等が存在するものとする。
【００７５】
尚、本実施形態のＥＰＧ配信システムは、第１実施形態のサービスエリアマップ配信システムと同様の構成を有しており、第１実施形態のサービスエリアマップの配信とともに本実施形態のＥＰＧが配信されるようになっていてもよい。本実施形態において、各視聴者の受信端末は、図１に示す通信局１０９と同様の通信局と通信し、各視聴者の受信環境に対応したＥＰＧの配信を受けることができるようになっている。
【００７６】
図６において、視聴者Ａ  ６０５は電波塔Ａ  ６０１の近くで見通しもよい位置におり、視聴者Ｂ  ６０６はビル街６０３におり、視聴者Ｃ  ６０７は自動車で移動中であり、視聴者Ｄ６０８は、電波塔Ａ  ６０１及び電波塔Ｂ  ６０２のいずれからも比較的離れた位置にある公園６０４にいるものとする。また、視聴者Ａ、Ｂ及びＤは地上デジタル放送を受信可能な携帯電話端末を使用しており、視聴者Ｃは車載端末を使用しているものとする。
【００７７】
今、電波塔Ａ  ６０１からチャンネル１、２、４、７、９及び１１が放送されており、電波塔Ｂからチャンネル３及び１０が放送されているものとする。尚、チャンネル１１は３セグメント放送であり、その他は全て移動体端末での受信を想定した１セグメント放送である。
【００７８】
視聴者Ａ〜Ｄのそれぞれの受信端末に表示されているＥＰＧ６０９〜６１２を図中に示す。
視聴者Ａは、電波塔Ａから放送される１セグメント放送をすべて受信可能であり、視聴者ＡのＥＰＧ  ６０９には５つのチャンネル（１、２、４、７及び９）のすべてが受信可能であると表示されている。
【００７９】
視聴者Ｂはビル街にいるため、情報量は少ないが誤り耐性が強いチャンネルの放送に限って受信することが可能である。視聴者Ｂの受信端末のＥＰＧ  ６１０には、２つのチャンネルが受信可能であると表示されている。このような耐性の強い放送サービスは、ビル等の遮蔽物が多く受信環境の悪い街中にいる視聴者にとって、より利便性もしくは必要性の高い放送コンテンツ、または単に情報量の少ない放送コンテンツであることが想定される。
【００８０】
視聴者Ｄは郊外の公園におり、電波塔Ａ  ６０１及び電波塔Ｂ  ６０２の両方からの放送波を受信することができているが、見通しの悪い電波塔Ａ  ６０１からの放送は一部のチャンネルのみ受信可能となっている。視聴者ＤのＥＰＧ  ６１２には、電波塔Ａ  ６０１から２つのチャンネル、電波塔Ｂ  ６０２から２つのチャンネルをそれぞれ受信可能であると表示されている。
【００８１】
尚、公園での放送受信に関しては、天気が影響することが一般的に知られている。木々の葉っぱが雨に濡れると電波妨害の効果が生じるためである。また湿度や風速によっても受信状態は変化し、これに適応するＥＰＧは異なったものとなる。
【００８２】
視聴者Ｃは移動中の車内で放送を受信しており、電波塔Ａから放送されている一部のチャンネルを受信可能である。視聴者ＣのＥＰＧ  ６１１には、３つの１セグメント放送チャンネルに加えて、１つの３セグメント放送（または１２セグメント放送）チャンネルが受信可能と表示されている。この３セグメント放送チャンネルでは、運転者向けの交通情報が放送されており、特に車載端末に配信するＥＰＧに限ってこのチャンネルを表示することとしている。このように受信端末の機種及び性能によってもＥＰＧは異なるため、本実施形態のシステムにおいては、受信端末の位置情報のみではなく、機種等の受信端末情報も通信局に送信するのが好ましい。
【００８３】
以上のように、同じ地域内にいる視聴者でもその受信環境は千差万別であるから、多数の視聴者に対してＥＰＧを一様に規定することは不可能である。また、その日の天候等のマクロな受信環境や視聴者の高度や移動速度、さらには受信端末の種類といったミクロな環境も受信感度に影響を与えるため、同じ場所でも受信可能なチャンネルがケースによって異なる場合がある。このような問題に対し、本実施形態のＥＰＧ配信システムを適用することによって、それぞれの視聴者に適応したＥＰＧを配信することが可能となる。
【００８４】
尚、受信端末の表示画面上でのＥＰＧの表示形態は上記に限定されるわけではなく、他の様々な形態が考えられるが、一般的には新聞紙のテレビ欄にならった表示形態が便利である。しかしながら、携帯電話端末などのようにディスプレイサイズが小さく限られている場合、図６に示すＥＰＧ６０９〜６１２のように、チャンネル名とその放送番組内容を簡潔に記載する形態が好ましい。このような表示画面において、視聴者は、チャンネル名を選択することにより放送を受信することが可能となり、また、放送番組を選択するとインターネットを通じて詳細な番組紹介を閲覧可能とするような応用例も考えられる。
【００８５】
図７は、携帯電話端末において受信した放送コンテンツを表示する形態を示す図である。図７においては、表示画面を上下に２分割し、上側に受信映像７０１を、下側にチャンネルアイコン７０２を表示する形態をとっている。このような表示画面において、視聴者は、チャンネルアイコン７０２を操作することにより、表示するチャンネルを変更することができる。
【００８６】
以上、本発明のサービス情報配信システムの各実施形態を説明したが、本発明のシステムはこれらの実施形態に限定されるものではなく、本発明の要旨を逸脱しない範囲内において、様々な変更を加ることが可能である。
【００８７】
【発明の効果】
以上、説明したように、本発明のサービス情報配信システムによれば、地上デジタル放送を受信している各種受信端末の位置、受信感度及び端末機種に関する多くのサンプルデータを収集でき、そのデータに基づいて、各受信端末の実際の受信状況に即した詳細なサービスエリアマップやＥＰＧを容易に作成し配信することが可能となる。
【図面の簡単な説明】
【図１】本発明の第１実施形態にかかるサービスエリアマップ配信システムの全体構成を示す概略図である。
【図２】図１に示す携帯電話端末に内蔵される地上デジタル放送受信装置の構成を示す機能ブロック図である。
【図３】図１に示す携帯電話端末のＯＦＤＭ復調器の内部構成を示す機能ブロック図である。
【図４】図１に示す携帯電話端末において、本発明のシステムにより配信されるサービスエリアマップを表示する例を示す図である。
【図５】高速移動中の視聴者の放送受信環境を説明するための概略図である。
【図６】本発明の第２実施形態にかかるＥＰＧ配信システムの全体構成を示す概略図である。
【図７】図６に示すＥＰＧ配信システムにより携帯電話端末で受信した放送コンテンツを表示する形態を示す図である。
【図８】地上デジタル放送サービスの一形態を示す構成図である。
【図９】地上デジタル放送サービスの一形態を示す構成図である。
【符号の説明】
１０２    電波塔
１０３    車載用端末
１０４    携帯電話端末
１０５    据え置き型デジタルテレビ受像機
１０６    ＰＤＡ
１０７    サービスエリアマップリクエスト
１０９    通信局
１１０    制御部
１１３    データベース
２０１    アンテナ
２０２    チューナ
２０３    ＯＦＤＭ復調器
２０４    デコーダ部
２０５    二次記憶媒体
２０６    主記憶部
２０７    メモリ
２０８    タイマー
２０９    制御部
２１０    アンテナ
２１１    ＲＦ処理部
２１２    ｗ−ＣＤＭＡ処理部
２１３    ベースバンド処理部
２１４    電話音声処理部
２１５    音声信号処理部
２１６    マイク
２１７    スピーカ
２１８    映像信号処理部
２１９    ディスプレイ
３０１    直交復調部
３０２    位相補正部
３０３    ＦＦＴ部
３０４    フレーム同期部
３０５    検波部
３０６    周波数・時間デインターリーブ部
３０７    ビットデインターリーブ部
３０８    ビタビ復号部
３０９    バイトデインターリーブ部
３１０    エネルギー拡散部
３１１    再生部
３１２    復号部
３１３    Ｃ／Ｎ比出力部
３１４    ＢＥＲ出力部
３１５    ＴＳ出力部
５０１    電波塔Ａ
５０２    電波塔Ｂ
５０３    車内の視聴者
６０１    電波塔Ａ
６０２    電波塔Ｂ
６０３    ビル街
６０４    公園
６０５，６０６，６０７，６０８    視聴者
６０９，６１０，６１１，６１２    各視聴者に配信されるＥＰＧ
７０１    受信映像
７０２    チャンネルアイコン
【図１】
2004166078.tif 000003
【図２】
2004166078.tif 000004
【図３】
2004166078.tif 000005
【図４】
2004166078.tif 000006
【図５】
2004166078.tif 000007
【図６】
2004166078.tif 000008
【図７】
2004166078.tif 000009
【図８】
2004166078.tif 000010
【図９】
2004166078.tif 000011